(57)【要約】【課題】  情報の表示が画面上に重畳されていない映像信号を別個の出力として取り出す。【解決手段】  チューナ２からのデジタル信号がデコーダ３に供給され、送信時に圧縮された信号の復元等のデジタル処理が行われる。またチューナ２からのデジタル信号が検出回路５に供給され、伝送された番組の紹介やＰＰＶの金額等の情報が検出される。さらにデコーダ３で信号の復元等の処理されたデジタル映像信号が任意のテレビジョン信号に変換する第１及び第２のエンコーダ６、８に供給される。またエンコーダ６にはメモリ７が設けられ、入力されたデジタル信号が所定のフォーマットで記憶されると共に、このメモリ７に対して検出回路４で検出された情報が重畳される。一方、エンコーダ８においては供給されたデジタル映像信号がそのまま任意のテレビジョン信号に変換される。【選択図】        図１ 
2005287077.tif 000002
【特許請求の範囲】
【請求項１】
前面パネルにディスプレイを有する放送受信装置において、
デジタル放送信号を受信するチューナと、
前記チューナにより受信されたデジタル放送信号を復元処理するデコーダと、
前記デジタル放送信号に付帯すると共に、操作に応じて出力される付帯情報を検出する付帯情報検出部と、
前記デコーダにて復元処理されたデジタル映像信号を所定方式の映像信号にエンコードする第１のエンコーダと、
前記第１のエンコーダにてエンコード処理された映像信号を出力端子を介して出力する供給手段と、
前記付帯情報検出部により検出された付帯情報を前記前面パネルのディスプレイに供給するためエンコードする第２のエンコーダと
を備えることを特徴とする放送受信装置。  
【請求項２】
前記デジタル放送信号に付帯する情報とは、番組の名称、番組の紹介および解説、放送局のロゴマーク、操作方法、番組表のうち少なくとも１つであることを特徴とする請求項１記載の放送受信装置。
【請求項３】
前記デジタル放送信号に付帯する情報とは、番組の視聴に関する金額の情報、番組の内容の判定レートの情報のうち少なくとも１つであることを特長とする請求項１記載の放送受信装置。
【請求項４】
デジタル放送信号を受信し、
前記受信されたデジタル信号を復元処理し、
前記デジタル放送信号に付帯すると共に、操作に応じて出力される付帯情報を検出し、
前記復元処理されたデジタル映像信号を所定方式の映像信号にエンコードし、
前記エンコード処理された映像信号を出力端子を介して出力し、
前記検出された付帯情報を前面パネルのディスプレイに供給するためエンコードする
ことを特徴とする放送受信方法。
【発明の詳細な説明】
【技術分野】
【０００１】
本発明は、例えばデジタル衛星放送の受信に使用して好適な放送受信装置及び放送受信方法に関する。詳しくは、情報の表示が画像の上に重畳されていない映像信号を別個の出力として取り出すことができるようにしたものである。
【背景技術】
【０００２】
例えばデジタル衛星放送においては、同時に送信される多数のチャンネルを使って極めて数多くの番組が放送されている。このためこれらの番組の全てを一般の新聞紙上やガイドブック、あるいはプログラムブック等で紹介することが困難になっている。
【０００３】
またこのようなプログラムブック等で所望の番組を選択しても、この番組が多数のチャンネルの中の何処で放送されているかを知ることが容易ではなく、容易に希望のチャンネルを受信することができない。さらにいわゆるペイパーヴュー（ＰＰＶ）で行われる番組に対しては、その金額を知ることも重要な問題となっている。
【０００４】
そこで例えば上述のデジタル衛星放送においては、放送中の特定チャンネルや各チャンネルのデジタル信号のエクストラビット等を用いて、番組の紹介やＰＰＶの金額等の情報を伝送することが行われている。従ってこのようなデジタル放送の受信装置では、番組の受信と共にこれらの情報を検出して表示することが行われる。
【０００５】
すなわち図５は、このようなデジタル放送の受信装置の構成の一例を示すブロック図である。この図５において、衛星アンテナ５１からの信号がチューナ５２に供給されて、このチューナ５２で所望のデジタル衛星放送が受信される。さらにこのチューナ５２からのデジタル信号がデコーダ５３に供給される。
【０００６】
そしてこのデコーダ５３では、ランダムアクセスメモリ（ＲＡＭ）５４を使って、例えば送信時に圧縮された映像信号の復元等のデジタル処理が行われる。さらにこのデジタル処理された信号が、ＮＴＳＣ等の任意のテレビジョン信号に変換するエンコーダ５５に供給され、変換された信号が出力端子を通じてテレビジョン受像機５６や、ＶＴＲ５７に供給される。
【０００７】
また上述のチューナ５２からの信号が、上述のエクストラビット等を用いて伝送された情報を検出する検出回路５８に供給される。そしてこの検出回路５８で検出された情報が、任意の形式でＲＡＭ５４に書き込まれる。これによってこのＲＡＭ５４上で、上述の復元された映像信号の画像の上に、検出回路５８で検出された情報の表示が重畳される。
【０００８】
すなわちこのＲＡＭ５４で復元された画像の上に、上述のエクストラビット等を用いて伝送された情報の表示が重畳される。そしてこの情報の重畳された画像のデジタル信号がエンコーダ５５を通じて受像機５６に供給されることによって、上述の伝送された番組の紹介やＰＰＶの金額等の情報が受像機５６の表示面上に表示される。
【０００９】
従ってこの装置において、例えば使用者が装置の本体やリモートコントロール装置に設けられたガイド釦（図示せず）を操作することによって、表示面上には例えば図６に示すように、検出された情報が受信中の番組の映像に重畳して表示される。なお、これらの制御は例えば図示しないＣＰＵ等によって行われる。
【００１０】
そして図６のＡは、例えば番組の紹介の情報の表示であって、この場合に、まず画像の上端部には、例えばＭＡＳＴＥＲ ＧＵＩＤＥの文字と日付が表示される。そして画像の下部には、各チャンネルごとに放送される番組の名称と、その放送時間の時間表が表示される。
【００１１】
さらに画像の上部の左側には操作方法が表示される。そして例えば使用者が装置の本体やリモートコントロール装置に設けられた十字釦（図示せず）を操作することによって、上述の時間表の中で番組の選択が行われ、例えば選択された番組の名称が反転して表示される。
【００１２】
また、画像の上部の右側には、番組の名称とその紹介及び解説文の表示エリアが設けられる。そして例えば上述の十字釦の操作によって選択された番組の名称と、その紹介及び解説文が表示される。さらに画像の上部の左側には、受信されている放送局のロゴマーク等が表示される。
【００１３】
従って使用者が例えば上述の十字釦の操作によって番組を選択し、例えば装置の本体やリモートコントロール装置に設けられた実行釦（図示せず）を操作することによって、選択された番組の受信が決定され、その番組の放送時間になると自動的にチャンネル等が設定されて、選択された番組の受信が開始される。
【００１４】
さらに選択された番組がＰＰＶで行われている場合には、上述の実行釦が操作された次に、図６のＢに示すような金額等の情報が放送の映像に重畳して表示される。すなわちこの場合には、まず画像の上端部に例えばＰＵＲＣＨＡＳＥ ＰＲＯＧＲＡＭの文字が表示される。
【００１５】
さらに画像の中央部には選択された番組の名称とより詳しい紹介及び解説文が表示される。そして画像の下部には、番組の放送されるチャンネルと時間、例えば審査機関によって判定された番組の内容を示すレートが表示されると共に、この番組のＰＰＶの金額が表示される。
【００１６】
また画像の右側には、前の画像に戻るための「戻る」、ＰＰＶの番組を契約するための「買う」、回数を指定する「回数」と、操作方法が判らなくなった場合の「ＨＥＬＰ」のアイコンが示される。そして例えば上述の十字釦の操作によってアイコンを選択し、実行釦を操作することによって動作が実行される。
【００１７】
さらに「買う」のアイコンが選択されて実行釦が操作された次には、例えば番組の名称、チャンネル、時間、及びＰＰＶの金額と、「ＹＥＳ」「ＮＯ」のアイコンの画像（図示せず）が表示される。そしてこの画像で「ＹＥＳ」のアイコンが選択、実行されることによって、選択されたＰＰＶの番組の受信が決定され、その番組の放送時間になるとチャンネル等が設定されて受信が開始される。
【００１８】
そしてこの装置において、上述の番組の紹介の情報の表示やＰＰＶの金額等の情報の表示は、上述のデコーダ５３で復元等のデジタル処理が行われた番組の画像に重畳して表示される。すなわちこの装置において、上述の情報の表示は複雑なものであって、例えば従来の映像信号の切り換え等によって簡易的に画像に重畳することはできないものである。
【００１９】
そこで上述の装置に示すように、例えばデコーダ５３で信号の復元等のデジタル処理を行うためのＲＡＭ５４を使って、このＲＡＭ５４に上述の検出回路５８で検出された情報の表示を任意の形式で書き込む。これによってＲＡＭ５４に形成される上述の復元された画像の上に、検出回路５８で検出された情報の表示が重畳される。
【００２０】
これに対して、多重化された放送を受信してそれぞれ独立に出力する装置は知られている（例えば、特許文献１の段落〔０００７〕及び図７参照。）。
【００２１】
また、文字信号を映像信号に重畳し、さらにテレビジョン信号に変換して表示装置に表示しているものもある（例えば、特許文献２〜４参照。）。
【００２２】
すなわち、多重化された放送を受信してそれぞれ独立に出力することと、文字信号を映像信号に重畳して表示装置に表示する技術は、従来から知られているものである。
【特許文献１】特開平５−３２８３２１号公報
【特許文献２】特開平５−１９９５２５号公報
【特許文献３】特開平６−１１３２２２号公報
【特許文献４】特開平７−９２９８３号公報
【発明の開示】
【発明が解決しようとする課題】
【００２３】
ところが上述の装置において、例えば放送をＶＴＲ等で録画中に誤ってガイド釦が操作されると、上述の情報の表示が画像の上に重畳されて録画されてしまう。さらに留守番録画等で画像を見ないで録画を行っている場合には、このような表示の重畳された画像が長期に亙って録画されてしまう恐れがある。
【００２４】
従って使用者は、録画中は誤ってガイド釦を操作しないように、意識的に装置の操作を避けるなどの神経を使わなければならず、使用者に精神上の負担を掛ける恐れがあった。
【００２５】
一方、従来の映像信号の切り換え等によって重畳する方法では、例えば切り換えの前段から重畳前の映像信号をＶＴＲ用の出力として取り出すことができた。しかしながら上述のように例えばデコーダ５３のＲＡＭ５４を使って重畳を行っている場合には、重畳前の映像信号を取り出すことはできないものであった。
【００２６】
この出願はこのような点に鑑みて成されたものであって、解決しようとする問題点は、従来の装置では、例えば放送をＶＴＲ等で録画中に誤ってガイド釦が操作されると、情報の表示が画像の上に重畳されて録画されてしまう恐れがあるというものである。
【課題を解決するための手段】
【００２７】
このため本発明においては、画像を表すデジタル信号を任意のテレビジョン信号に変換する第１の変換手段と、付帯する情報を任意のテレビジョン信号に変換する第２の変換手段とを有するようにしたものであって、これによれば、情報の表示が画像の上に重畳されていない映像信号を別個の出力として取り出すことができる。
【発明の効果】
【００２８】
請求項１の発明によれば、パネルにディスプレイを有する放送受信装置において、デジタル放送信号を受信するチューナと、チューナにより受信されたデジタル放送信号を復元処理するデコーダと、デジタル放送信号に付帯すると共に、操作に応じて出力される付帯情報を検出する付帯情報検出部と、デコーダにて復元処理されたデジタル映像信号を所定方式の映像信号にエンコードする第１のエンコーダと、第１のエンコーダにてエンコード処理された映像信号を出力端子を介して出力する供給手段と、付帯情報検出部により検出された付帯情報を前記前面パネルのディスプレイに供給するためエンコードする第２のエンコーダとを備えることによって、情報の表示が画像の上に重畳されていない映像信号を別個の出力として取り出すことができる。
【００２９】
また、請求項２の発明によれば、デジタル放送信号に付帯する情報とは、番組の名称、番組の紹介および解説、放送局のロゴマーク、操作方法、番組表のうち少なくとも１つであることによって、これらの情報の表示が画像の上に重畳されていない映像信号を別個の出力として取り出すことができる。
【００３０】
また、請求項３の発明によれば、デジタル放送信号に付帯する情報とは、番組の視聴に関する金額の情報、番組の内容の判定レートの情報のうち少なくとも１つであることによって、これらの情報の表示が画像の上に重畳されていない映像信号を別個の出力として取り出すことができる。
【００３１】
さらに請求項４の発明によれば、デジタル放送信号を受信し、受信されたデジタル信号を復元処理し、デジタル放送信号に付帯すると共に、操作に応じて出力される付帯情報を検出し、復元処理されたデジタル映像信号を所定方式の映像信号にエンコードし、エンコード処理された映像信号を出力端子を介して出力し、検出された付帯情報を前面パネルのディスプレイに供給するためエンコードすることによって、これらの情報の表示が画像の上に重畳されていない映像信号を別個の出力として取り出すことができる。
【００３２】
これによって、従来は、例えば放送をＶＴＲ等で録画中に誤ってガイド釦が操作されると、情報の表示が画像の上に重畳されて録画されてしまう恐れがあるという問題点があったものを、本発明によればこれらの問題点を容易に解消することができるものである。
【発明を実施するための最良の形態】
【００３３】
以下、図面を参照して本発明を説明するに、図１は本発明を適用したデジタル放送受信装置の一例の構成を示すブロック図である。
【００３４】
この図１において、例えば衛星アンテナ１からの信号がチューナ２に供給されて、このチューナ２で所望のデジタル衛星放送が受信される。さらにこのチューナ２からのデジタル信号がデコーダ３に供給される。そしてこのデコーダ３で、ランダムアクセスメモリ（ＲＡＭ）４を使って送信時に圧縮された信号の復元等のデジタル処理が行われる。
【００３５】
また、チューナ２からのデジタル信号が検出回路５に供給される。そしてこの検出回路５で、上述の特定チャンネルやエクストラビット等を用いて伝送された番組の紹介やＰＰＶの金額等の情報が検出される。
【００３６】
さらにデコーダ３で、信号の復元等の処理されたデジタル映像信号が、それぞれ任意のテレビジョン信号に変換する第１及び第２のエンコーダ６、８に供給される。すなわちこれらのエンコーダ６、８においては、それぞれ供給された例えばいわゆる４：２：２、あるいは４：４：４のデジタル映像信号が、例えばＮＴＳＣ方式に準じたアナログ映像信号にエンコードされる。
【００３７】
そこでこれらのエンコーダ６、８では、まず供給された４：２：２、あるいは４：４：４等のデジタル映像信号が入力処理及び補間回路６１、８１に入力され、通常の輝度信号（Ｙ）及び２軸のクロマ信号（Ｕ／Ｖ）に変換処理される。この処理された輝度信号（Ｙ）が遅延回路６２、８２、加算回路６３、８３を通じてＤ／Ａ変換回路（ＤＡＣ）６４、８４に供給される。
【００３８】
また２軸のクロマ信号（Ｕ／Ｖ）がそれぞれローパスフィルタ（ＬＰＦ）６５、８５、６６、８６と加算回路６７、８７を通じて変調回路６８、８８に供給される。そして任意の副搬送信号が２軸のクロマ信号（Ｕ／Ｖ）で例えば直交変調され、変調されたクロマ信号（Ｃ）がＤ／Ａ変換回路（ＤＡＣ）６９、８９に供給される。
【００３９】
さらにデコーダ３からのクロック信号が同期発生回路７０、９０に供給されて同期信号とクロマバースト信号が発生される。そしてこの同期発生回路７０、９０で発生されたクロマバースト信号が加算回路６７、８７に供給される。また同期発生回路７０、９０で発生された同期信号が同期波形の発生回路７１、９１を通じて加算回路６３、８３に供給される。
【００４０】
これによってデコーダ３から供給された４：２：２あるいは４：４：４等のデジタル映像信号が、それぞれＮＴＳＣ等の任意のテレビジョン信号に準じたアナログの輝度信号（Ｙ）及びクロマ信号（Ｃ）に変換される。
【００４１】
そしてさらにエンコーダ６においては、入力処理及び補間回路６１には必要に応じてメモリ７が設けられ、入力されたデジタル信号が所定のフォーマットで記憶される。そこでこのメモリ７に対して、上述の検出回路５で検出された情報が重畳される。これによって、このメモリ７上で復元された画像の上に、上述のエクストラビット等を用いて伝送された情報の表示が重畳される。
【００４２】
すなわちこのエンコーダ６において、復元された画像の上に情報の表示が重畳され、この重畳された映像信号がＮＴＳＣ等の任意のテレビジョン信号に準じた信号に変換される。そして変換された信号がＤ／Ａ変換回路６４、６９でアナログ変換されて出力端子１０、１１に取り出される。
【００４３】
これに対してエンコーダ８においては、復元された映像信号がそのままＮＴＳＣ等の任意のテレビジョン信号に準じた信号に変換される。そして変換された信号がＤ／Ａ変換回路８４、８９でアナログ変換されて出力端子１２、１３に取り出される。
【００４４】
従ってこの装置において、画像を表すデジタル信号を任意のテレビジョン信号に変換する第１の変換手段と、付帯する情報を任意のテレビジョン信号に変換する第２の変換手段とを有することにより、情報の表示が画像の上に重畳されていない映像信号を別個の出力として取り出すことができる。
【００４５】
これによって、従来は例えば放送をＶＴＲ等で録画中に誤ってガイド釦が操作されると、情報の表示が画像の上に重畳されて録画されてしまう恐れがあったものを、本発明によればそのような事故の発生を未然に防止することができる。
【００４６】
すなわち上述の装置において、上述の出力端子１０、１１をテレビジョン受像機に接続し、出力端子１２、１３をＶＴＲに接続する。これによってテレビジョン受像機の表示面上には上述の伝送された番組の紹介やＰＰＶの金額等の情報が表示されると共に、ＶＴＲに録画される映像信号には情報の表示が重畳されることがなく、常に良好な録画を行うことができる。
【００４７】
従って、使用者が意識的に装置の操作を避けるなどの神経を使う必要がなく、使用者に精神上の負担を掛ける恐れも解消することができる。
【００４８】
さらに図２は本発明を適用したデジタル放送受信装置の他の例の構成を示すブロック図である。すなわち図２の例においては、上述のエンコーダ６、８をエンコーダ６０として一体化したものであって、この場合に回路の一体化によって集積度を上げることができると共に、同期発生回路７０及び同期波形の発生回路７１を兼用にして回路を簡略化することができる。
【００４９】
また、図３は本発明を適用したデジタル放送受信装置のさらに他の例の構成を示すブロック図である。そしてこの図３の例においては、エンコーダ６には検出回路５からの伝送された番組の紹介やＰＰＶの金額等の情報の表示のための信号のみを供給する。
【００５０】
従ってこの例においては、出力端子１０、１１には伝送された番組の紹介やＰＰＶの金額等の情報の表示の映像信号が取り出される。そこでこの映像信号を、例えば図４のＡに示すように装置の前面パネルに設けられたディスプレイ（表示部）や、図４のＢに示すようにリモートコントロール装置に設けられたディスプレイ（表示部）に供給する。
【００５１】
これによって使用者は、これらのディスプレイによって番組の紹介やＰＰＶの金額等の情報を見ることができると共に、ＶＴＲやテレビジョン受像機の表示面には、一切上述の情報の表示が重畳されないようにすることができる。あるいはこの出力端子１０、１１に取り出される映像信号を、専用のテレビジョン受像機やいわゆる２画面のテレビジョン受像機で子画面に表示することもできる。
【００５２】
なお、この図３の例においてもエンコーダ６、８を一体化することは可能である。
【００５３】
こうして本発明の放送受信装置によれば、パネルにディスプレイを有する装置において、デジタル放送信号を受信するチューナと、チューナにより受信されたデジタル放送信号を復元処理するデコーダと、デジタル放送信号に付帯すると共に、操作に応じて出力される付帯情報を検出する付帯情報検出部と、デコーダにて復元処理されたデジタル映像信号を所定方式の映像信号にエンコードする第１のエンコーダと、第１のエンコーダにてエンコード処理された映像信号を出力端子を介して出力する供給手段と、付帯情報検出部により検出された付帯情報を前記前面パネルのディスプレイに供給するためエンコードする第２のエンコーダとを備えることにより、情報の表示が画像の上に重畳されていない映像信号を別個の出力として取り出すことができるものである。
【００５４】
また、本発明の放送受信方法によれば、デジタル放送信号を受信し、受信されたデジタル信号を復元処理し、デジタル放送信号に付帯すると共に、操作に応じて出力される付帯情報を検出し、復元処理されたデジタル映像信号を所定方式の映像信号にエンコードし、エンコード処理された映像信号を出力端子を介して出力し、検出された付帯情報を前面パネルのディスプレイに供給するためエンコードすることにより、情報の表示が画像の上に重畳されていない映像信号を別個の出力として取り出すことができるものである。
【００５５】
すなわちこの発明において、一方の出力端子をテレビジョン受像機に接続し、他方の出力端子をＶＴＲに接続する。これによってテレビジョン受像機の表示面上には上述の伝送された番組の紹介やＰＰＶの金額等の情報が表示されると共に、ＶＴＲに録画される映像信号には情報の表示が重畳されることがなく、常に良好な録画を行うことができるものである。
【００５６】
従って、使用者が意識的に装置の操作を避けるなどの神経を使う必要がなく、使用者に精神上の負担を掛ける恐れも解消することができるものである。
【００５７】
なお本発明は、上述の説明した実施形態に限定されるものではなく、本発明の精神を逸脱することなく種々の変形が可能とされるものである。
【図面の簡単な説明】
【００５８】
【図１】本発明による放送受信装置及び放送受信方法の適用されるデジタル放送受信装置の一例の構成図である。
【図２】本発明の適用されるデジタル放送受信装置の他の例の構成図である。
【図３】本発明の適用されるデジタル放送受信装置のさらに他の例の構成図である。
【図４】その説明のための図である。
【図５】従来のデジタル放送受信装置の構成図である。
【図６】表示される情報の説明のための図である。
【符号の説明】
【００５９】
１…衛星アンテナ、２…チューナ、３…デコーダ、４…ランダムアクセスメモリ、５…検出回路、６，８…エンコーダ、７…メモリ、１０，１１，１２，１３…出力端子
【図１】
2005287077.tif 000003
【図２】
2005287077.tif 000004
【図３】
2005287077.tif 000005
【図４】
2005287077.tif 000006
【図５】
2005287077.tif 000007
【図６】
2005287077.tif 000008